(57)【要約】【課題】  一対の配管側接続部のうちの一方側がガス供給元に通じ他方側がガス供給先に通じるガス配管系統に対して、一対のメータ側接続部のうちの一方側に流入したガスを他方側から流出させる形態で、ガスメータを、一端側が配管側接続部に対してねじ込み式管継手で接続されると共に他端側がメータ側接続部に対してユニオン式管継手で接続される一対のアダプタ部材を介装する状態で取り付けるガスメータ接続構造において、ガス配管系統に対する煩雑な工事を必要とせず、ガスメータのメータ側接続部をガス配管系統の配管側接続部に対して適切な状態で取り付けることができ、接続不良等を防止できるガスメータ取付構造を提供する点にある。【解決手段】  一対のねじ込み式管継手１６の少なくとも一方側が管用平行ねじによるねじ込み式管継手として構成する。【選択図】        図１
2007033189.tif 000002
【特許請求の範囲】
【請求項１】
同方向に向けて開口する一対の配管側接続部を有し、前記一対の配管側接続部のうちの一方側がガス供給元に通じ他方側がガス供給先に通じるガス配管系統に対して、
前記一対の配管側接続部に対向して開口する一対のメータ側接続部を有し、前記一対のメータ側接続部のうちの一方側に流入したガスを他方側から流出させる形態で、ガスの流量を計測するガスメータを、
一端側が前記配管側接続部に対してねじ込み式管継手で接続されると共に他端側が前記メータ側接続部に対してユニオン式管継手で接続される一対のアダプタ部材を介装する状態で取り付けるように構成されたガスメータ接続構造であって、
前記一対のねじ込み式管継手の少なくとも一方側が管用平行ねじによるねじ込み式管継手として構成されているガスメータ取付構造。
【請求項２】
前記一対のねじ込み式管継手の夫々の雄ねじ形成部が内挿される一対の開口部が形成された板状の固定プレートを備え、
前記一対のねじ込み式管継手のうちの一方側において雄ねじに螺合された１つのロックナットと雌ねじ形成部の端部とで前記固定プレートを挟持する形態で固定すると共に、他方側において雄ねじに螺合された一対のロックナットで前記固定プレートを挟持する形態で固定するように構成されている請求項１に記載のガスメータ取付構造。
【請求項３】
前記ガス配管系統が、前記ガス供給元及び前記ガス供給先の夫々に通じる一対の立管と、前記一対の立管の夫々の端部から夫々の前記配管側接続部が形成された一対のエルボとを有して構成されている請求項１又は２に記載のガスメータ取付構造。
【発明の詳細な説明】
【技術分野】
【０００１】
本発明は、同方向に向けて開口する一対の配管側接続部を有し、前記一対の配管側接続部のうちの一方側がガス供給元に通じ他方側がガス供給先に通じるガス配管系統に対して、
前記一対の配管側接続部に対向して開口する一対のメータ側接続部を有し、前記一対のメータ側接続部のうちの一方側に流入したガスを他方側から流出させる形態で、ガスの流量を計測するガスメータを、
一端側が前記配管側接続部に対してねじ込み式管継手で接続されると共に他端側が前記メータ側接続部に対してユニオン式管継手で接続される一対のアダプタ部材を介装する状態で取り付けるように構成されたガスメータ接続構造に関する。
【背景技術】
【０００２】
通常、ガス供給業者が需要家に都市ガス等のガスを供給するためのガス配管系統には、その需要家に供給されたガスの流量を計測するガスメータが取り付けられる。
ガスメータは、一般的に、共に上方向に向けて開口する一対のメータ側接続部を有し、その一対のメータ側接続部のうちの一方側に流入したガスを他方側から流出させる形態で、ガスの流量を計測するように構成されている。
また、ガスメータが取り付けられるガス配管系統は、そのガスメータに形成された一対のメータ側接続部に対向して開口する一対の配管側接続部を有し、その一対の配管側接続部のうちの一方側がガス供給元としての導管に通じ、他方側がガス供給先としての需要家側に通じるように構成されている。具体的には、ガス供給元及びガス供給先の夫々に通じる一対の立管が地面等から上方に延出する形態で設置され、その一対の立管の夫々の上端部には、メータ側接続部に対向する夫々の配管側接続部が形成された一対のエルボが取り付けられて構成されている。
【０００３】
そして、このガスメータに形成された一対のメータ側接続部は、ガス配管系統側に形成された一対の配管側接続部に対して、一対のアダプタ部材を介装して取り付けられる。そして、このアダプタ部材は、一端側がメータ側接続部に対してユニオン式管継手で接続されると共に他端側が配管側接続部に形成された管用テーパ雌ねじに対して管用テーパ雄ねじをねじ込む形態のねじ込み式管継手で接続されるように構成されている（例えば、特許文献１を参照。）。
【０００４】
【特許文献１】特開２０００−３３７９４２号公報
【発明の開示】
【発明が解決しようとする課題】
【０００５】
上述したようにガスメータを取り付けたガス配管系統は、例えば地盤沈下、経時的な変形等により、配管側接続部がメータ側接続部に対向する鉛直方向において、一対の配管側接続部の相対位置がずれてしまい、接続部における接続不良等が懸念される。
そして、このような一対のメータ側接続部の相対位置のずれを補修するためには、例えばガス配管系統の立管の長さや設置角度を変更するべく、既存の立管を切断して短縮したり新しいものに取り替えるなど、ガス配管系統に対する煩雑な工事が必要となる。
【０００６】
本発明は、上記の課題に鑑みてなされたものであり、その目的は、上記のようなガス配管系統に対する煩雑な工事を必要とせず、ガスメータのメータ側接続部を配管側接続部に対して適切な状態で取り付けることができ、接続不良等を防止できるガスメータ取付構造を提供する点にある。
【課題を解決するための手段】
【０００７】
上記目的を達成するための本発明に係るガスメータ取付構造は、同方向に向けて開口する一対の配管側接続部を有し、前記一対の配管側接続部のうちの一方側がガス供給元に通じ他方側がガス供給先に通じるガス配管系統に対して、
前記一対の配管側接続部に対向して開口する一対のメータ側接続部を有し、前記一対のメータ側接続部のうちの一方側に流入したガスを他方側から流出させる形態で、ガスの流量を計測するガスメータを、
一端側が前記配管側接続部に対してねじ込み式管継手で接続されると共に他端側が前記メータ側接続部に対してユニオン式管継手で接続される一対のアダプタ部材を介装する状態で取り付けるように構成されたガスメータ接続構造であって、その第１特徴構成は、前記一対のねじ込み式管継手の少なくとも一方側が管用平行ねじによるねじ込み式管継手として構成されている点にある。
【０００８】
上記第１特徴構成によれば、配管側接続部とアダプタ部材とを接続する管継手である一対のねじ込み式管継手の少なくとも一方側が、ねじ込み深さが特定される管用テーパねじではなく、漏洩を防止し得るねじ込み深さの下限値以上且つ構造上可能なねじ込み深さの上限値以下の範囲内で任意のねじ込み深さで接続可能な管用平行ねじによるねじ込み式管継手として構成されているので、その管用平行ねじを採用したねじ込み式管継手側のアダプタ部材を介装して接続される配管側接続部とメータ側接続部との距離を、上記管用平行ねじのねじ込み深さの範囲が許す限り任意に調整することが可能となる。
従って、一対の配管側接続部の特にメータ側接続部に対向する方向における相対位置がずれてしまった場合でも、少なくとも一方側の配管側接続部とメータ側接続部との距離を上記管用平行ねじのねじ込み深さの調整により変更することで、メータ側接続部に接続されるアダプタ部材の一対のユニオン式管継手の相対位置を常に適切な状態に維持することができる。よって、本発明に係るガスメータ取付構造により、ガス配管系統に対する煩雑な工事を必要とせずに、ガスメータのメータ側接続部を配管側接続部に対して適切な状態で取り付けて、接続不良等を防止することができる。
【０００９】
本発明に係るガスメータ取付構造の第２特徴構成は、前記一対のねじ込み式管継手の夫々の雄ねじ形成部が内挿される一対の開口部が形成された板状の固定プレートを備え、
前記一対のねじ込み式管継手のうちの一方側において雄ねじに螺合された１つのロックナットと雌ねじ形成部の端部とで前記固定プレートを挟持する形態で固定すると共に、他方側において雄ねじに螺合された一対のロックナットで前記固定プレートを挟持する形態で固定するように構成されている点にある。
【００１０】
上記第２特徴構成によれば、固定プレートに形成された一対の開口部の夫々に、配管側接続部とアダプタ部材とを接続する一対のねじ込み式管継手の夫々の雄ねじが形成された雄ねじ形成部が内挿された状態で、その固定プレートがロックナットにより一対のねじ込み式管継手の夫々に固定されているので、ガス配管系統の一対のねじ込み式管継手間の距離や特にメータ側接続部に対向する方向における相対位置等を適切な状態に維持することができる。
また、固定プレートに形成された一対の開口部のうちの一方側においては、雄ねじに螺合されたロックナットと雌ねじ形成部の端部とで挟持された状態で固定されるのに対し、他方側においては、雄ねじに螺合された一対のロックナットの間に挟持された状態で固定されており、その一対のロックナットが雄ねじの任意の位置でその固定プレートを挟持する形態で固定することができる。よって、一対のねじ込み式管継手のメータ側接続部に対向する方向における相対位置がずれている場合でも、上記固定プレートを一対のメータ接続部を結ぶ方向に平行（例えば水平方向）に設置して、固定プレートにより適切にねじ込み式管継手間の距離や相対位置を固定し維持することができる。
【００１１】
本発明に係るガスメータ取付構造の第３特徴構成は、前記ガス配管系統が、前記ガス供給元及び前記ガス供給先の夫々に通じる一対の立管と、前記一対の立管の夫々の端部から夫々の前記配管側接続部が形成された一対のエルボとを有して構成されている点にある。
【００１２】
上記第３特徴構成によれば、上記のように一対の立管とその夫々の端部に取り付けられた一対のエルボとの硬質な配管部材により構成されたガス配管系統のように、特に、その立管の傾きや立管を保持する地盤の沈下などにより、その一対のエルボの端部である一対の配管側接続部の特にメータ側接続部に対向する方向における相対位置がずれやすい場合において、本発明に係るガスメータ取付構造を好適に適用することができる。
【発明を実施するための最良の形態】
【００１３】
本発明に係るガスメータ取付構造の実施の形態について、図面に基づいて説明する。
図１（ａ）及び（ｂ）の組立図及び図２の分解図に示すように、ガス供給元としてガス供給業者が運用する導管Ｓから、ガス供給先として需要家に敷設されガス機器が接続される内管Ｄに都市ガス等のガスを供給するためのガス配管系統には、需要家側に供給されたガスの流量を計測するガスメータ２０が取り付けられる。
このようなガス配管系統は、導管Ｓ及び内管Ｄの夫々に通じる一対の立管１が地面等から上方に延出する形態で設置されている。
【００１４】
その一対の立管１の夫々の上端部には、詳細については後述するガスメータ２０に設けられた一対のメータ側接続部２１に対向する夫々の配管側接続部４が形成された一対のエルボ２が取り付けられている。
尚、本実施形態で利用したエルボ２は、一端側が立管１に接続され他端側は水平に開口するエルボと、一端側がそのエルボに接続され他端側が配管側接続部４として下方向に開口するエルボとを組み合わせたものとして構成されている。
即ち、上記一対の配管側接続部４は、夫々のエルボ２の立管１に接続される端部とは反対側の端部において、同方向具体的には下方向に向けて開口する一対の開口部として形成されている。
【００１５】
導管Ｓ側の立管１には、メータガス栓３が設けられている。よって、このメータガス栓３を操作することにより、導管Ｓからガスメータ２０を通じて内管Ｄへのガスの供給を断続することができる。
【００１６】
ガスメータ２０は、公知のガスメータと同様の構造を有するため詳細説明については割愛するが、上述した配管側接続部４に対向して開口する一対のメータ側接続部２１を有し、一対のメータ側接続部２１のうちの一方側に流入したガスを他方側から流出させる形態で、ガスの流量を計測するように構成されている。
【００１７】
ガスメータ２０の上面には、その上面から上方に延出する一対の管部２２が設けられており、その夫々の管部２２の上端部が上記メータ側接続部２１とされている。
即ち、上記一対のメータ側接続部２１は、ガスメータ２０の上面に設けられた夫々の管部２２の上端部において、同方向具体的には上方向に向けて開口する一対の開口部として形成されている。
【００１８】
そして、上述したガス配管系統に設けられ互いに下方向に向けて開口する一対の配管側接続部４と、上述したガスメータ２０に設けられ互いに上方向に向けて開口する一対のメータ側接続部２１との夫々が、後述する一対のアダプタ部材１０を夫々介装する状態で互いに接続されることにより、ガスメータ２０がガス配管系統に取り付けられている。
【００１９】
次に、アダプタ部材１０の構成について説明を加える。
図３の部分分解斜視図も参照して、アダプタ部材１０は、管状本体１１と、ユニオンナット１４、メータパッキン２４等から構成されている。
【００２０】
アダプタ部材１０の一端部（上端部）は、配管側接続部４に対してねじ込み式管継手１６で接続される。このねじ込み式管継手１６は、管状本体１１の上端部に形成された雄ねじ１２を、配管側接続部４に形成された雌ねじ５に、例えば液体シール剤等を塗布した状態で、螺合させるように構成されている。
【００２１】
一方、アダプタ部材１０の他端部（下端部）は、メータ側接続部２１に対してユニオン式管継手１７で接続される。このユニオン式管継手１７は、管状本体１１の下端部に形成されたユニオンつば１３の下端面を、メータ側接続部２１の管部２２の上端面に当接させた状態で、管状本体１１に対してユニオンつば１３により抜け止めされているユニオンナット１４を、メータ側接続部２１の管部２２に形成された雄ねじに螺合させるように構成されている。また、上記ユニオンつば１３の下端面と管部２２の上端面との間には、メータパッキン２４が介装されており、このメータパッキン２４によりガスの漏洩が防止されている。
尚、本実施形態（図２）では、メータパッキン２４をユニオンつば１３と管部２２との間には挟み込んで固定する構造としたが、別に、ユニオンつば１３の下端面からメータ側に突出し管部２２内に挿入される筒状突出部を設け、メータパッキン２４をその筒状突出部に外嵌させる構造として、メータパッキン２４のずれや落下の防止による取付時の作業効率の向上や密着性の向上を図ることもできる。
【００２２】
更に、上述したガスメータ取付構造においては、一対のユニオン管継手１７の鉛直方向における相対位置を適切なものに維持して、ガスメータ２０のメータ側接続部２１をそのユニオン管継手１７により適切な状態で取り付け、接続不良等を防止するために、一対のねじ込み式管継手１６の両方が、管用平行ねじによるねじ込み式管継手として構成されている。
【００２３】
即ち、配管側接続部４に形成された雌ねじ５及びアダプタ部材１０の上端部に形成された雄ねじ１２が、ねじ込み深さが特定される管用テーパねじではなく、漏洩を防止し得るねじ込み深さの下限値以上且つ構造上可能なねじ込み深さの上限値以下の範囲内で任意のねじ込み深さで接続可能な管用平行ねじとして形成されている。
【００２４】
よって、例えば図２に示すように、一対の配管側接続部４の特にメータ側接続部２１に対向する鉛直方向における相対位置がずれてしまった場合でも、図１（ａ）に示すように、一対のねじ込み式管継手１６の内の少なくとも一方側の雌ねじ５に対する雄ねじ１２のねじ込み深さを調整することで、一対のユニオン式管継手１７の相対位置を水平に維持することができる。
【００２５】
また、図４に示すように、一対の配管側接続部４に対して一対のアダプタ部材１０を取り付けたときに、夫々の管状本体１１のユニオンつば１３の下端面が水平状態となっているか否かを水準器３０で確認して、一対のアダプタ部材１０を、上記一対のユニオン式管継手１７の相対位置が水平となる適切な状態で取り付けることができる。
この水準器３０は、図５に示すように、部分球面状に形成した透明のケース３１を、上面が夫々のユニオンつば１３の下端面に当接される板状部材３２上に設置し、そのケース３１の内側に液体を収容して、その液体中の気泡の位置から、板状部材３２の水平に対する前後左右の傾斜状態を検出できるように構成されている。
【００２６】
次に、上述したガス配管系統の固定方法について説明を加える。
一対のねじ込み式管継手１６の管状本体側１１の夫々の雄ねじ１２が形成された雄ねじ形成部が内挿される一対の開口部２６が形成された板状の固定プレート２５（図３参照）により、その一対のねじ込み式管継手１６間の距離や相対位置が固定されている。
即ち、図１（ａ）及び図２に示すように、一対のねじ込み式管継手１６のうちの一方側において雄ねじ１２に螺合された１つのロックナット２７と、配管側接続部４に形成された雌ねじ５が形成された雌ねじ形成部の端部とで固定プレート２５を挟持する形態で固定すると共に、他方側において雄ねじ１２に螺合された一対のロックナット２８で固定プレート２５を挟持する形態で固定することで、固定プレート２５をガス配管系統に固定するように構成されている。
【００２７】
そして、固定プレート２５の両端部のうちの一対のロックナット２８の間に挟持される側（本実施例では内管Ｄ側）では、その一対のロックナット２８が雄ねじ１２の任意の位置でその固定プレート２５を挟持する形態で固定することができるので、固定プレート２５を常に適切な状態（平行）で固定することが可能となる。
【００２８】
〔別実施形態〕
（１）上記実施の形態では、ねじ込み式管継手１６において、配管側接続部４側に雌ねじ５を形成し、アダプタ部材１０側に雄ねじ１２を形成したが、別に、配管側接続部４側に雄ねじを形成し、アダプタ部材１０側に雌ねじを形成しても構わない。
【００２９】
（２）上記実施の形態では、一対のねじ込み式管継手１６の両方を、管用平行ねじによるねじ込み式管継手として構成したが、別に、一対のねじ込み式管継手１６のうちの一方側のみを管用平行ねじによるねじ込み式管継手として構成してねじ込み深さの調整を可能とし、他方側を管用テーパねじによるねじ込み式管継手として構成しても構わない。
【００３０】
（３）上記実施の形態では、固定プレート２５をロックナット２７，２８により固定する構造を採用したが、別に、この構造を改変又は省略しても構わない。
【００３１】
（４）上記実施の形態では、ガス配管系統を、一対の立管１及び一対のエルボ２で構成したが、別に、このガス配管系統の構造を改変しても構わない。
【産業上の利用可能性】
【００３２】
本発明に係るガスメータ取付構造は、同方向に向けて開口する一対の配管側接続部を有し、前記一対の配管側接続部のうちの一方側がガス供給元に通じ他方側がガス供給先に通じるガス配管系統に対して、前記一対の配管側接続部に対向して開口する一対のメータ側接続部を有し、前記一対のメータ側接続部のうちの一方側に流入したガスを他方側から流出させる形態で、ガスの流量を計測するガスメータを、一端側が前記配管側接続部に対してねじ込み式管継手で接続されると共に他端側が前記メータ側接続部に対してユニオン式管継手で接続される一対のアダプタ部材を介装する状態で取り付けるように構成されたガスメータ接続構造であって、ガス配管系統に対する煩雑な工事を必要とせず、ガスメータのメータ側接続部を配管側接続部に対して適切な状態で取り付けることができ、接続不良等を防止できるガスメータ取付構造として有効に利用可能である。
【図面の簡単な説明】
【００３３】
【図１】（ａ）ガスメータ取付構造の組立立面図、（ｂ）接続部の部分断面図
【図２】ガスメータ取付構造の分解立面図
【図３】ガスメータ取付構造の分解斜視図
【図４】アダプタ部材を取り付けた状態を示す立面図
【図５】水準器の斜視図
【符号の説明】
【００３４】
１：立管
２：エルボ
４：配管側接続部
５：雌ねじ
１０：アダプタ部材
１２：雄ねじ
１６：ねじ込み式管継手
１７：ユニオン式管継手
２０：ガスメータ
２１：メータ側接続部
２５：固定プレート
２７，２８：ロックナット
【図１】
2007033189.tif 000003
【図２】
2007033189.tif 000004
【図３】
2007033189.tif 000005
【図４】
2007033189.tif 000006
【図５】
2007033189.tif 000007